(57)【要約】【課題】  複数の表示手段のそれぞれに同一又は異なる内容を表示でき、各種の撮影状況及び撮影方法に良好に対応することができるカメラ及び画像表示方法を提供する。【解決手段】  被写体の画像を撮像する撮像手段と第１表示手段１５ａ及び第３表示手段１５ｃとを備えるカメラであって、第１表示手段１５ａ及び第３表示手段１５ｃに、同時に同じ内容を表示させる第１モードと、第１表示手段１５ａ及び第３表示手段１５ｃの一方のみを表示状態とする第２モードと、第１表示手段１５ａ及び第３表示手段１５ｃに同時に異なる内容を表示する第３モードと、のうちの１つのモードを選択する操作部材と、操作部材で選択されたモードを実行する制御手段とを有することを特徴とする。【選択図】    図１
2006166133.tif 000002
【特許請求の範囲】
【請求項１】
被写体の画像を撮像する撮像手段と、少なくとも２つの表示手段とを備えるカメラであって、
前記少なくとも２つの表示手段の構成要素である第１表示手段及び第２表示手段に、同時に同じ内容を表示させる第１モードと、
前記第１表示手段及び第２表示手段の一方のみを表示状態とする第２モードと、
前記第１表示手段及び第２表示手段に、同時に異なる内容を表示する第３モードと、のうちの１つのモードを選択する操作部材と、
前記操作部材で選択されたモードを実行する制御手段とを有することを特徴とするカメラ。
【請求項２】
前記制御手段は、前記第１モードの表示内容として、前記撮像手段が撮像した画像を表示させるものであることを特徴とする請求項１に記載のカメラ。
【請求項３】
前記制御手段は、前記第１モードの表示内容として、前記撮像手段が撮像した画像以外の情報を表示させるものであることを特徴とする請求項１に記載のカメラ。
【請求項４】
前記制御手段は、前記第３モードの表示内容として、前記第１表示手段及び第２表示手段の一方に、前記撮像手段が撮像した画像を表示させ、他方に、前記撮像手段が撮像した画像以外の情報を表示させるものであることを特徴とする請求項１に記載のカメラ。
【請求項５】
前記制御手段は、前記第３モードの表示内容として、前記第１表示手段及び第２表示手段の一方に、動画を表示させ、他方に、静止画を表示させるものであることを特徴とする請求項１に記載のカメラ。
【請求項６】
画像を記録する記録手段を有し、
前記制御手段は、前記第３モードの表示内容として、前記第１表示手段及び第２表示手段の一方に、前記撮像手段が撮像した動画像を該撮像の直後に動画像として表示させ、他方に、前記記録手段に記録されている画像を再生して表示させるものであることを特徴とする請求項１に記載のカメラ。
【請求項７】
被写体の画像を撮像する撮像手段と、少なくとも２つの表示手段とを備えるカメラであって、
前記少なくとも２つの表示手段は、第１表示手段と第２表示手段とを有してなり、
前記第１表示手段の表示画面の面方向と、前記第２表示手段の表示画面の面方向とが、ほぼ垂直に交わるように、該第１表示手段及び第２表示手段が配置されていることを特徴とするカメラ。
【請求項８】
前記第１表示手段の表示画面は、アスペクト比が４：３であり、
前記第２表示手段の表示画面は、アスペクト比が１６：９であることを特徴とする請求項７に記載のカメラ。
【請求項９】
被写体の画像を撮像する撮像手段と、少なくとも２つの表示手段とを備えるカメラであって、
前記少なくとも２つの表示手段は、第１表示手段と第２表示手段とを有してなり、
前記第１表示手段の表示画面は、前記撮像手段の撮像光学系の光軸に対してほぼ垂直に配置されており、
前記第２表示手段の表示画面は、前記撮像手段の撮像光学系の光軸に対してほぼ平行に配置されていることを特徴とするカメラ。
【請求項１０】
被写体の画像を撮像する撮像手段と、少なくとも２つの表示手段とを備えるカメラであって、
カメラ起動時においては、前記少なくとも２つの表示手段の構成要素である第１表示手段と第２表示手段とに、異なる内容を表示させる制御手段を有することを特徴とするカメラ。
【請求項１１】
前記制御手段は、カメラ起動時において、前記第１表示手段に撮像した画像を表示させ、前記第２表示手段に文字を含む情報を表示させるものであることを特徴とする請求項１０に記載のカメラ。
【請求項１２】
被写体の画像を撮像する撮像手段と、少なくとも２つの表示手段とを備えるカメラであって、
カメラ起動時においては、前記少なくとも２つの表示手段の構成要素である第１表示手段と第２表示手段とに同じ内容を表示させ、該カメラ起動時の後には、該第１表示手段と第２表示手段とに異なる内容を表示させる制御手段を有することを特徴とするカメラ。
【請求項１３】
被写体の画像を撮像する撮像手段と、少なくとも２つの表示手段とを備えるカメラであって、
前記少なくとも２つの表示手段における少なくとも１つの表示手段は、表示画面のアスペクト比が１６：９であり、
前記１つの表示手段の表示画面における中央付近に前記撮像手段が撮像した画像を表示させるとともに、該表示画面における左右両端付近に文字を含む情報を表示させる制御手段を有することを特徴とするカメラ。
【請求項１４】
被写体の画像を撮像する撮像手段と、少なくとも２つの表示手段とを備えるカメラであって、
前記少なくとも２つの表示手段の構成要素であり、アスペクト比が４：３の表示画面を有する第１表示手段と、
前記少なくとも２つの表示手段の構成要素であり、アスペクト比が１６：９の表示画面を有する第２表示手段と、
アスペクト比を４：３として前記画像を表示させる通常モードと、アスペクト比を１６：９として前記画像を表示させるワイドモードとのいずれかを選択する操作部材と、
前記操作部材で通常モードが選択されたときは、前記第１表示手段にアスペクト比４：３の画像を表示させ、前記操作部材でワイドモードが選択されたときは、前記第２表示手段にアスペクト比１６：９の画像を表示させる制御手段とを有することを特徴とするカメラ。
【請求項１５】
被写体の画像を撮像する撮像手段と、少なくとも２つの表示手段とを備えるカメラであって、
前記少なくとも２つの表示手段の構成要素であり、アスペクト比が４：３の表示画面を有する第１表示手段と、
前記少なくとも２つの表示手段の構成要素であり、アスペクト比が１６：９の表示画面を有する第２表示手段と、
アスペクト比を４：３として前記画像を表示させる通常モードと、アスペクト比を１６：９として前記画像を表示させるワイドモードとのいずれかを選択する操作部材と、
前記操作部材で通常モードが選択されたときは、前記第２表示手段の表示画面における中央付近にアスペクト比４：３の画像を表示させ、該表示画面における左右両端付近に文字を含む情報を表示させる制御手段とを有することを特徴とするカメラ。
【請求項１６】
被写体の画像を撮像する撮像手段と、少なくとも２つの表示手段とを備えるカメラであって、
前記少なくとも２つの表示手段は、第１表示手段と第２表示手段とを有してなり、
前記第１表示手段の表示画面は、前記撮像手段の撮像光学系の光軸に対してほぼ垂直に配置されており、
前記第２表示手段の表示画面は、前記撮像手段の撮像光学系の光軸に対してほぼ平行に配置されており、
前記第１表示手段の表示画面の視野角は、前記第２表示手段の表示画面の面方向に近づく向きに、広く設定されており、
前記第２表示手段の表示画面の視野角は、前記第１表示手段の表示画面の面方向に近づく向きに、広く設定されていることを特徴とするカメラ。
【請求項１７】
被写体の画像を撮像する撮像手段と、表示画面の面方向がほぼ垂直に交わるように配置された第１表示手段及び第２表示手段とを備えるカメラにおける画像表示方法であって、
アイレベルでの撮影をするときは、少なくとも前記第１表示手段にモニタ画像を表示させ、
ウエストレベルでの撮影をするときは、少なくとも前記第２表示手段にモニタ画像を表示させることを特徴とする画像表示方法。
【発明の詳細な説明】
【技術分野】
【０００１】
本発明は、カメラ及び画像表示方法に関する。また、本発明は、２つ以上の表示手段に異なる内容を良好に表示することができるカメラ及び画像表示方法に関する。
【背景技術】
【０００２】
従来、高級なデジタルスチルカメラでは、カメラ本体（ボディ）の上面にカメラの状態（絞り、シャッタースピードなど）を表示するステイタス液晶表示部を装備しているものがある。また、従来の携帯電話では、開閉可能な筐体部の表と裏に主表示部と副表示部を持ち、開閉の状態に応じて、その２つの表示の制御を行うものが考え出されている（特許文献１参照）。
【特許文献１】特開２００４−１８００２２号公報
【発明の開示】
【発明が解決しようとする課題】
【０００３】
しかしながら、従来のデジタルスチルカメラでは、カメラ本体の背面に配置されているモニタ用液晶表示部において撮像画像を表示している。したがって、従来のデジタルスチルカメラは、上面に配置されているステイタス液晶表示部で撮像画像を確認することができないという問題点があった。
【０００４】
また、従来のデジタルスチルカメラでは、背面配置のモニタ用液晶表示部の向きを変更可能にする可動機構を備えたものがある。しかし、このようなデジタルスチルカメラは、可動機構において機械的な故障が発生する確率が高く、製造コストの低減化も困難であるという問題点がある。
【０００５】
また、デジタルスチルカメラは薄型化が進んでおり、カメラ本体の上面は細長い形状となっている。これにより、カメラ本体の上面に、従来のモニタ用液晶表示部を配置することは困難な状況となっている。
【０００６】
また、デジタルスチルカメラにおいて、２つのモニタ用液晶表示部を備えたものが考えられているが、その２つのモニタ用液晶表示部には同じ内容しか表示できないという問題点もあった。
【０００７】
本発明は、上記課題を解決するためになされたものであり、複数の表示手段のそれぞれに同一又は異なる内容を表示でき、各種の撮影状況及び撮影方法に良好に対応することができるカメラ及び画像表示方法を提供することを目的とする。
また、本発明は、アイレベル撮影及びウエストレベル撮影など各種の撮影方法で良好に撮影することができるカメラ及び画像表示方法を提供することを目的とする。
また、本発明は、機械的な可動機構を必要とせずに、モニタ画面を各種方向から良好に視認することができるカメラ及び画像表示方法を提供することを目的とする。
【課題を解決するための手段】
【０００８】
上記目的を達成するために、本発明のカメラは、被写体の画像を撮像する撮像手段と少なくとも２つの表示手段とを備えるカメラであって、前記少なくとも２つの表示手段の構成要素である第１表示手段及び第２表示手段に、同時に同じ内容を表示させる第１モードと、前記第１表示手段及び第２表示手段の一方のみを表示状態とする第２モードと、前記第１表示手段及び第２表示手段に、同時に異なる内容を表示する第３モードと、のうちの１つのモードを選択する操作部材と、前記操作部材で選択されたモードを実行する制御手段とを有することを特徴とする。
この発明によれば、第１表示手段及び第２表示手段のそれぞれに、同一の画像を表示でき、また異なる画像を表示することもできる。ここで、表示内容としては、撮像手段が撮像した画像、又は、カメラの絞り、シャッタースピード、各種モードの状態、電池残量などが挙げられる。したがって、本発明のカメラは、撮像画像及び文字情報など各種の情報を、各種の表示形態で同時に表示することができ、各種の撮影状況及び撮影方法に良好に対応することができる。
【０００９】
また、本発明のカメラは、前記制御手段が、前記第１モードの表示内容として、前記撮像手段が撮像した画像を表示させるものであることが望ましい。
この発明によれば、第１表示手段と第２表示手段の両方に、同時に、同一の撮像画像を表示することができる。したがって、例えば、第１表示手段が見やすい状態で撮影するときは第１表示手段で良好にモニタでき、第２表示手段が見やすい状態で撮影するときは第２表示手段で良好にモニタできる。そこで、本発明のカメラは、各種の撮影状況及び撮影方法に良好に対応することができる。
【００１０】
また、本発明のカメラは、前記制御手段が、前記第１モードの表示内容として、前記撮像手段が撮像した画像以外の情報を表示させるものであることが望ましい。
この発明によれば、第１表示手段と第２表示手段の両方に、同時に、撮像手段が撮像した画像以外の情報を表示させることができる。ここで、撮像手段が撮像した画像以外の情報とは、例えば、カメラの絞り、シャッタースピード、各種モード、電池残量などの文字情報又は図形情報が挙げられる。したがって、本発明のカメラは、各種の情報を、同時に大量に表示することもできる。
【００１１】
また、本発明のカメラは、前記制御手段が、前記第３モードの表示内容として、前記第１表示手段及び第２表示手段の一方に、前記撮像手段が撮像した画像を表示させ、他方に、前記撮像手段が撮像した画像以外の情報を表示させるものであることが望ましい。
この発明によれば、例えば、第１表示手段が見やすい状態で撮影するときは、第１表示手段に撮像画像を表示させて、第２表示手段にカメラの絞り、シャッタースピードなどのカメラの状態を表示させることができる。したがって、本発明のカメラは、カメラの状態を容易・迅速に確認でき、且つ見やすい状態で撮像画像をモニタすることもできる。
【００１２】
また、本発明のカメラは、前記制御手段が、前記第３モードの表示内容として、前記第１表示手段及び第２表示手段の一方に、動画を表示させ、他方に、静止画を表示させるものであることが望ましい。
この発明によれば、例えば、第１表示手段に撮像手段が取り込んだ動画像を表示させ、第２表示手段に前記動画像におけるあるタイミングの静止画を表示させることができる。したがって、静止画により、被写体の撮影状態を細部まで詳細に確認することができ、動画像により、被写体の動き又はカメラの撮影方向の動きなどを確認することができる。
【００１３】
また、本発明のカメラは、画像を記録する記録手段を有し、前記制御手段は、前記第３モードの表示内容として、前記第１表示手段及び第２表示手段の一方に、前記撮像手段が撮像した動画像を該撮像の直後に動画像として表示させ、他方に、前記記録手段に記録されている画像を再生して表示させるものであることが望ましい。
この発明によれば、例えば、第１表示手段に動画像を表示させることで現在の撮影状態を確認でき、同時に、第２表示手段に過去の画像（静止画又は動画像）を表示させることで過去の撮影状態を確認することができる。したがって、本発明のカメラは、過去の撮影状態を確認しながら、同時に現在の撮影状態を確認することができる。そこで、本発明は現在のカメラ又は被写体の撮影状態が過去の撮影状態よりも良くなっているかなども、簡易且つ正確に確認できる。
【００１４】
上記目的を達成するために、本発明のカメラは、被写体の画像を撮像する撮像手段と、少なくとも２つの表示手段とを備えるカメラであって、前記少なくとも２つの表示手段は、第１表示手段と第２表示手段とを有してなり、前記第１表示手段の表示画面の面方向と、前記第２表示手段の表示画面の面方向とが、ほぼ垂直に交わるように、該第１表示手段及び第２表示手段が配置されていることを特徴とする。
この発明によれば、例えばカメラ本体（ボディ）が立方体形状である場合、第１表示手段をカメラ本体の背面に配置し、第２表示手段をカメラ本体の上面に配置することができる。したがって、第１表示手段にモニタ画像などを表示させることで、アイレベルでの撮影を良好に行うことができる。また、第２表示手段にモニタ画像を表示させることで、ウエストレベルでの撮影も良好に行うことができる。また、本発明によれば、表示手段の表示画面の向きを変える可動機構が不要であるので、機械的な故障率を低減することができる。
【００１５】
また、本発明のカメラは、前記第１表示手段の表示画面のアスペクト比が４：３であり、前記第２表示手段の表示画面のアスペクト比が１６：９であることが望ましい。
この発明によれば、第２表示手段においてワイド画面として臨場感あふれる画像を表示することができる。なお、第１表示手段のアスペクト比を１６：９、第２表示手段のアスペクト比を４：３としてもよい。また、本発明によれば、カメラ本体が立方体形状であるとともに、その厚みが薄い場合に、そのカメラ本体の上面にアスペクト比を１６：９の表示手段を配置することができる。このようにすると、薄型カメラの上面においてもモニタ画像を表示でき、薄型カメラでもウエストレベルの撮影を良好に行うことができる。
【００１６】
上記目的を達成するために、本発明のカメラは、被写体の画像を撮像する撮像手段と、少なくとも２つの表示手段とを備えるカメラであって、前記少なくとも２つの表示手段は、第１表示手段と第２表示手段とを有してなり、前記第１表示手段の表示画面は、前記撮像手段の撮像光学系の光軸に対してほぼ垂直に配置されており、前記第２表示手段の表示画面は、前記撮像手段の撮像光学系の光軸に対してほぼ平行に配置されていることを特徴とする。
この発明によれば、カメラ本体の背面上に第１表示手段の表示画面を配置でき、カメラ本体の上面上に第２表示手段の表示画面を配置することができる。なお、撮像光学系の光軸とは、例えば撮像手段における被写体に対向するレンズの光軸をいう。したがって、第１表示手段にモニタ画像などを表示させることで、アイレベルでの撮影を良好に行うことができる。また、第２表示手段にモニタ画像を表示させることで、ウエストレベルでの撮影も良好に行うことができる。また、本発明によれば、表示手段の表示画面の向きを変える可動機構が不要であるので、機械的な故障率を低減することができる。
【００１７】
上記目的を達成するために、本発明のカメラは、被写体の画像を撮像する撮像手段と、少なくとも２つの表示手段とを備えるカメラであって、カメラ起動時においては、前記少なくとも２つの表示手段の構成要素である第１表示手段と第２表示手段とに、異なる内容を表示させる制御手段を有することを特徴とする。
また、本発明のカメラは、前記制御手段が、カメラ起動時において、前記第１表示手段に撮像した画像を表示させ、前記第２表示手段に文字を含む情報を表示させるものであることが望ましい。
この発明によれば、起動時に、一方の表示手段にモニタ画像を表示させ、他方の表示手段にカメラの状態等（絞り、シャッタースピード、被写体の輝度など）を表示させることができる。したがって、本発明のカメラは、起動直後に、各種情報を同時に表示でき、シャッターチャンスに良好に対応することができる。
【００１８】
上記目的を達成するために、本発明のカメラは、被写体の画像を撮像する撮像手段と、少なくとも２つの表示手段とを備えるカメラであって、カメラ起動時においては、前記少なくとも２つの表示手段の構成要素である第１表示手段と第２表示手段とに同じ内容を表示させ、該カメラ起動時の後には、該第１表示手段と第２表示手段とに異なる内容を表示させる制御手段を有することを特徴とする。
この発明によれば、起動時に、両方の表示手段に同じ内容を表示することができる。したがって、例えば起動時にモニタ画像を両方の表示手段に表示させることにより、シャッターチャンスに対して、アイレベル撮影又はウエストレベル撮影のいずれかを任意に選択して迅速に実行することが可能となる。また、起動時に、両方の表示手段に、絞り、シャッタースピード、撮影モード、被写体の輝度などを表示させてもよい。
【００１９】
上記目的を達成するために、本発明のカメラは、被写体の画像を撮像する撮像手段と、少なくとも２つの表示手段とを備えるカメラであって、前記少なくとも２つの表示手段における少なくとも１つの表示手段は、表示画面のアスペクト比が１６：９であり、前記１つの表示手段の表示画面における中央付近に前記撮像手段が撮像した画像を表示させるとともに、該表示画面における左右両端付近に文字を含む情報を表示させる制御手段を有することを特徴とする。
この発明によれば、例えばアスペクト比１６：９の表示画面において、中央付近にアスペクト比４：３の画像を表示でき、その表示画面の左右両端付近に絞り、シャッタースピードなどの文字情報などを表示することができる。したがって、１つの表示画面において、撮像画像の全てを表示しながら文字情報なども表示することができる。
【００２０】
上記目的を達成するために、本発明のカメラは、被写体の画像を撮像する撮像手段と、少なくとも２つの表示手段とを備えるカメラであって、前記少なくとも２つの表示手段の構成要素であり、アスペクト比が４：３の表示画面を有する第１表示手段と、前記少なくとも２つの表示手段の構成要素であり、アスペクト比が１６：９の表示画面を有する第２表示手段と、アスペクト比を４：３として前記画像を表示させる通常モードと、アスペクト比を１６：９として前記画像を表示させるワイドモードとのいずれかを選択する操作部材と、前記操作部材で通常モードが選択されたときは、前記第１表示手段にアスペクト比４：３の画像を表示させ、前記操作部材でワイドモードが選択されたときは、前記第２表示手段にアスペクト比１６：９の画像を表示させる制御手段とを有することを特徴とする。
この発明によれば、通常モードで画像を表示させたいときはアスペクト比４：３の第１表示手段で通常モードの画像を表示させることができる。また、ワイドモードで画像を表示させたいときはアスペクト比１６：９の第２表示手段でワイドモードの画像を表示させることができる。
【００２１】
上記目的を達成するために、本発明のカメラは、被写体の画像を撮像する撮像手段と、少なくとも２つの表示手段とを備えるカメラであって、前記少なくとも２つの表示手段の構成要素であり、アスペクト比が４：３の表示画面を有する第１表示手段と、前記少なくとも２つの表示手段の構成要素であり、アスペクト比が１６：９の表示画面を有する第２表示手段と、アスペクト比を４：３として前記画像を表示させる通常モードと、アスペクト比を１６：９として前記画像を表示させるワイドモードとのいずれかを選択する操作部材と、前記操作部材で通常モードが選択されたときは、前記第２表示手段の表示画面における中央付近にアスペクト比４：３の画像を表示させ、該表示画面における左右両端付近に文字を含む情報を表示させる制御手段とを有することを特徴とする。
この発明によれば、通常モードが選択されたとき、アスペクト比１６：９の第２表示手段の表示画面における中央付近にアスペクト比４：３の画像全体をそのまま表示でき、その表示画面の左右両端付近に文字情報などを表示することができる。したがって、本発明は、文字情報などで撮像画像の一部が隠れることを回避することができる。
【００２２】
上記目的を達成するために、本発明のカメラは、被写体の画像を撮像する撮像手段と、少なくとも２つの表示手段とを備えるカメラであって、前記少なくとも２つの表示手段は、第１表示手段と第２表示手段とを有してなり、前記第１表示手段の表示画面は、前記撮像手段の撮像光学系の光軸に対してほぼ垂直に配置されており、前記第２表示手段の表示画面は、前記撮像手段の撮像光学系の光軸に対してほぼ平行に配置されており、前記第１表示手段の表示画面の視野角は、前記第２表示手段の表示画面の面方向に近づく向きに、広く設定されており、前記第２表示手段の表示画面の視野角は、前記第１表示手段の表示画面の面方向に近づく向きに、広く設定されていることを特徴とする。
この発明によれば、第１表示手段をカメラ本体の背面に配置でき、第２表示手段をカメラ本体の上面に配置できる。したがって、第１表示手段を用いてアイレベルでの撮影を良好に実行でき、第２表示手段を用いてウエストレベルでの撮影を良好に実行することができる。さらに、本発明では、第１表示手段の表示画面の視野角がカメラ本体の上面方向に広く設定されているので、第１表示手段の表示画面をウエストレベルでも視認可能とすることができる。また、第２表示手段の表示画面の視野角がカメラ本体の背面方向に広く設定されているので、第２表示手段の表示画面をアイレベルでも視認可能とすることができる。したがって、本発明のカメラは、カメラ本体の背面及び上面などにそれぞれ配置された複数の表示手段を、撮影者が良好に視認することを可能にする。
【００２３】
上記目的を達成するために、本発明の画像表示方法は、被写体の画像を撮像する撮像手段と、表示画面の面方向がほぼ垂直に交わるように配置された第１表示手段及び第２表示手段とを備えるカメラにおける画像表示方法であって、アイレベルでの撮影をするときは、少なくとも前記第１表示手段にモニタ画像を表示させ、ウエストレベルでの撮影をするときは、少なくとも前記第２表示手段にモニタ画像を表示させることを特徴とする。
この発明によれば、第１表示手段で表示されたモニタ画像を見ることにより、アイレベルでの撮影を良好に行うことができ、第２表示手段で表示されたモニタ画像を見ることにより、ウエストレベルでの撮影を良好に行うことができる。したがって、本発明によれば、撮影状況及び撮影者の好みなどに応じて、アイレベル撮影及びウエストレベル撮影を、任意に選択して実行することができ、各種被写体及び各種撮影方法に良好に対応することができる。
【発明の効果】
【００２４】
本発明によれば、カメラにおける複数の表示手段のそれぞれに同一又は異なる内容を表示できるので、各種の撮影状況及び撮影方法に良好に対応することができる。
【００２５】
また、本発明によれば、２つの表示画面の方向が互いに直交した配置とすることなどにより、アイレベル撮影及びウエストレベル撮影の両方を良好に実行することが可能となる。したがって、本発明によれば、ステイタス表示機能を有しながら、カメラ本体の上面に撮像画像をすることができる。そこで、本発明によれば、ウエストレベル撮影により、手振れを回避でき、またマクロ撮影なども良好に行うことができ、アイレベルでの撮影も良好に実行することができる。また、本発明によれば、アイレベル撮影及びウエストレベル撮影の両方ができるとともに、機械的可動部が不要であるので、良好な撮影環境を提供しながら故障率を低減することができる。
【００２６】
また、本発明によれば、起動時に、複数の表示手段それぞれに異なる内容又は同じ内容を表示することができる。したがって、本発明は、シャッターチャンスに良好に対応することができる。
【００２７】
また、本発明によれば、カメラにおける複数の表示手段それぞれの位置に応じて、各表示手段の視野角を設定することにより、その複数の表示手段を撮影者などが良好に視認することができる。
【発明を実施するための最良の形態】
【００２８】
次に本発明を実施するための最良の形態について図面を参照して説明する。
（第１実施形態）
図１は、本発明の第１実施形態に係るカメラの外観を示す斜視図である。図１ではカメラを斜め背面方向から見た状態を示している。図２は、図１に示すカメラを縦方向に切断したときの模式断面図である。本実施形態では、本発明に係るカメラの一例としてデジタルカメラ（デジタルスチルカメラ）を挙げて説明する。
【００２９】
本実施形態のデジタルカメラは、カメラ本体１００と、ズームレンズ１と、フォーカスレンズ３と、第１表示手段１５ａと、第２表示手段１５ｂと、第３表示手段１５ｃと、十字キー２１ａと、ズームスイッチ２１ｂと、シャッタースイッチ２１ｃとを有して構成されている。カメラ本体１００は、カメラ・ボディであり、例えば立方体形状をしている。なお、カメラ本体１００は、立方体以外の形状でもよく、正面及び背面を平面とした円柱形状などでもよい。また、第１表示手段１５ａは本発明に係る第１表示手段に該当し、第３表示手段１５ｃは本発明に係る第２表示手段に該当する。
【００３０】
ズームレンズ１及びフォーカスレンズ３は、本デジタルカメラの撮像手段の一部をなしている。そして、ズームレンズ１及びフォーカスレンズ３の光軸Ｌは、図２に示すように、一致しているとともに、カメラ本体１００の正面及び背面の面方向に対してほぼ垂直に交わっている。
【００３１】
カメラ本体１００の背面に、第１表示手段１５ａ、第２表示手段１５ｂ、十字キー２１ａ及びズームスイッチ２１ｂが配置されている。カメラ本体１００の上面に、第３表示手段１５ｃ及びシャッタースイッチ２１ｃが配置されている。
【００３２】
第１表示手段１５ａ、第２表示手段１５ｂ及び第３表示手段１５ｃは、例えば液晶表示装置、（ＬＣＤ：Liquid Crystal Display）、有機ＥＬ（エレクトロルミネッセンス）表示装置又はプラズマ表示装置などでそれぞれ構成する。そして、第１表示手段１５ａ及び第２表示手段１５ｂの表示画面（表示領域）は、アスペクト比が４：３であることが好ましい。第３表示手段１５ｃの表示画面は、アスペクト比が１６：９であることが好ましい。
【００３３】
このようにすると、カメラ本体１００の厚みが薄く、その上面領域が細長い形状であっても、その上面領域を効率的に活用して、ワイド画面の第３表示手段１５ｃを配置することができる。また、第３表示手段１５ｃにおいてワイド画面として臨場感あふれる画像を表示することができる。
【００３４】
第１表示手段１５ａは、いわゆるモニタ画像を表示するものである。すなわち、第１表示手段１５ａは、比較的大きな画面を有し、撮像手段が撮像した画像を表示する。撮影者は、カメラ本体１００の背面が顔の前２０ｃｍ〜５０ｃｍに位置するように本デジタルカメラを持ち、第１表示手段１５ａの表示画面を見ながら撮影することができる。
【００３５】
また、第１表示手段１５ａは、撮像画像に重ねて、撮影状態（カメラ状態を含む。以下同じ）を示す情報をＯＳＤ（オン・スクリーン・ディスプレイ）として表示することができる。撮影状態を示す情報としては、絞り、シャッタースピード、各種モードの状態、被写体の輝度情報、電池残量などがある。各種モードとしては、各表示手段についての表示モード、撮像画像の記録モードなどがある。記録モードとしては、例えば５００万画素モード、３００万画素モード、２００万画素モード、動画記録モードがある。表示モードは、第１表示手段１５ａ、第２表示手段１５ｂ及び第３表示手段１５ｃの表示内容についてのモードであり、これについては後で詳細に説明する。
【００３６】
第２表示手段１５ｂは、電子ビューファインダ（ＥＶＦ）をなすものである。すなわち第２表示手段１５ｂは、光学ファインダとほぼ同じ機能を有するものであり、撮像手段が撮像した画像を表示する。そして、撮影者は、銀塩カメラと同様にして、第２表示手段１５ｂに眼を近づけ、カメラ本体１００の一部を顔及び手などで固定しながら撮影することができる。また、第２表示手段１５ｂは、第１表示手段１５ａと同様にして（画像は小さい）、撮像画像に重ねて、撮影状態を示す情報（ＯＳＤ情報）を表示することができる。
【００３７】
第３表示手段１５ｃは、撮影状態を示すステイタス表示部としての機能を有するのみながず、モニタ画像を表示することもできる。すなわち、第３表示手段１５ｃは、撮像手段が撮像した画像を表示し、同時に、撮影状態を示す情報を表示することができる。この表示は、撮像画像に重ねてＯＳＤ情報を表示することもでき、撮像画像とＯＳＤ情報とを別々の表示領域に分けて表示することもできる。
【００３８】
したがって、撮影者は、第３表示手段１５ｃを見ながら、カメラ本体１００を自身のお腹の位置に持って撮影するウエストレベルの撮影をすることができる。このウエストレベルの撮影では、肘を腹部に押しつけて固定することができ、また、カメラ本体１００をお腹に押しつけて固定することもできる。そこで、ウエストレベルの撮影により、手振れなどを良好に回避することができる。また、撮影者は、第３表示手段１５ｃを見ながら、マクロ撮影なども良好に行うことができる。
【００３９】
これらにより、本実施形態のデジタルカメラは、第１表示手段１５ａにモニタ画像などを表示させることで、アイレベルでの撮影を良好に行うことができる。また、第３表示手段１５ｃにモニタ画像を表示させることで、ウエストレベルでの撮影も良好に行うことができる。さらに、本デジタルカメラは、表示手段の表示画面の向きを変える可動機構が不要であるので、機械的な故障率を低減することができる。
【００４０】
（表示制御と表示態様）
図３は、図１及び図２に示す本実施形態のデジタルカメラの表示制御構成及び表示態様を示す説明図である。図３において図１又は図２に示す構成要素と同一のものには同一符号を付けている。本デジタルカメラは、図１及び図２に示す構成要素以外に、第１ＣＰＵ１９ａと、第２ＣＰＵ１９ｂと、２つのメモリ２２ａ，２２ｂとを有している。
【００４１】
第１ＣＰＵ１９ａは、メモリ２２ａなどを用いて、撮像手段が取り込んだ撮像画像を第１表示手段１５ａ、第２表示手段１５ｂ及び第３表示手段１５ｃに表示させるものである。したがって、第１表示手段１５ａ、第２表示手段１５ｂ及び第３表示手段１５ｃのそれぞれに表示される撮像画像は、１つの第１ＣＰＵ１９ａによって表示制御される。ここで第１ＣＰＵは、撮像画像を第１表示手段１５ａ、第２表示手段１５ｂ及び第３表示手段１５ｃのいずれか１つに選択的に表示させる。また、第１ＣＰＵは、第１表示手段１５ａ、第２表示手段１５ｂ及び第３表示手段１５ｃのいずれか２つ又は全部に、撮像画像を表示させることもできる。
【００４２】
また、第１ＣＰＵ１９ａは、絞り、シャッタースピードなどのＯＳＤ情報を撮像画像に重ねて、第１表示手段１５ａ及び第２表示手段１５ｂに表示させる。したがって、第１表示手段１５ａと第２表示手段１５ｂには、同一内容を表示することができる。ただし、電子ビューファインダである第２表示手段１５ｂを使用しない場合は、十字キー２１ａの操作などにより、第２表示手段１５ｂを非表示状態にすることもできる。また、ファインダ撮影する場合は、十字キー２１ａの操作などにより、第１表示手段１５ａを非表示状態にすることもできる。
【００４３】
第２ＣＰＵ１９ｂは、メモリ２２ｂなどを用いて、絞り、シャッタースピードなどのＯＳＤ情報を撮像画像に重ねて、第３表示手段１５ｃに表示させるものである。また、第２ＣＰＵ１９ｂは、第３表示手段１５ｃの表示領域において、撮像画像とＯＳＤ情報とを別々の表示領域に表示させることもできる。ここで、第１ＣＰＵ１９ａが出力するＯＳＤ情報と第２ＣＰＵ１９ｂが出力するＯＳＤ情報とは、情報内容としては同一でも異なるものでもよいが、画像表示領域における表示位置が異なる。これにより、２つのＣＰＵを用いて、第１表示手段１５ａ及び第２表示手段１５ｂと第３表示手段１５ｃとに、異なるＯＳＤ情報を表示することができる。
【００４４】
第１ＣＰＵ１９ａは、第１表示手段１５ａ、第２表示手段１５ｂ及び第３表示手段１５ｃのいずれかに撮像画像を表示させる場合、他のいずれかの表示手段にはＯＳＤ情報のみを表示させることもできる。この場合、他のいずれかの表示手段はステイタス表示部として機能する。第１ＣＰＵ１９ａは、ステイタス表示部として機能時は、その機能時の第１表示手段１５ａ、第２表示手段１５ｂ又は第３表示手段１５ｃのバックライト駆動電流を通常時よりも下げる。これにより、省エネルギー化を図ることができる。
【００４５】
第２ＣＰＵ１９ｂは、図３に示すように、第３表示手段１５ｃの表示領域全体にＯＳＤ情報を表示させることができる。また、第２ＣＰＵ１９ｂは、第３表示手段１５ｃの表示領域を縦に３つに分割して、中央領域ｃ１に撮像画像を表示させ、左領域ｃ２及び右領域ｃ３にＯＳＤ情報を表示させることもできる。この場合、撮像画像のアスペクト比は４：３であり、中央領域ｃ１のアスペクト比も４：３であることが好ましい。このようにすると、１つの表示画面において、撮像画像の全てを表示しながら、同時に、ＯＳＤ情報も明瞭に表示することができる。
【００４６】
また、第２ＣＰＵ１９ｂは、第３表示手段１５ｃの表示領域を縦に２つに分割して、右側領域ｃ１０に撮像画像を表示させ、左側領域ｃ２０にＯＳＤ情報を表示させることとしてもよい。
【００４７】
（表示モード）
次に、本実施形態のデジタルカメラの表示モードについて、図１から図３を参照して説明する。
【００４８】
本デジタルカメラは、第１表示手段１５ａ及び第３表示手段１５ｃの両方に同時に同じ内容を表示させる第１モードと、第１表示手段１５ａ及び第３表示手段１５ｃの一方のみを表示状態とする第２モードと、第１表示手段１５ａ及び第３表示手段１５ｃに同時に異なる内容を表示する第３モードとを有する。操作部材である十字キー２１ａを操作することにより、この３つのモードのいずれが選択可能となっている。すなわち、第１ＣＰＵ１９ａ及び第２ＣＰＵ１０ｂは、十字キー２１ａで選択されたモードを実行制御する。
【００４９】
第１モードとして、例えば第１ＣＰＵ１９ａは、第１表示手段１５ａ及び第３表示手段１５ｃの双方に同時に、同じ撮像画像を表示させることができる。この撮像画像は、動画でも静止画でもよい。このようにすると、例えば撮影者が第３表示手段１５ｃを見て撮影しているときに被写体が急に動いて、ウエストレベルでの撮影が困難となったとき、第１表示手段１５ａでのアイレベル撮影に迅速に切り替えることができる。したがって、本デジタルカメラは、各種の撮影状況及び撮影方法に良好に対応することができる。
【００５０】
また、第１ＣＰＵ１９ａ及び第２ＣＰＵ１９ｂは、第１モードとして、第１表示手段１５ａ及び第３表示手段１５ｃの双方に同時に、撮像画像以外の情報（上記ＯＳＤ情報）を表示させることができる。このようにすると、第１表示手段１５ａと第３表示手段１５ｃの両方に、同時に、ＯＳＤ情報を表示させることができる。したがって、本デジタルカメラは、各種の情報を、同時に、大量且つ明瞭に表示することもできる。
【００５１】
第３モードとして、第１ＣＰＵ１９ａ及び第２ＣＰＵ１０ｂは、第１表示手段１５ａ及び第３表示手段１５ｃの一方に、撮像画像のみを表示させ、他方に、ＯＳＤ情報のみを表示させることができる。このようにすると、例えば第１表示手段１５ａが見やすい状態で撮影するときは、第１表示手段１５ａに撮像画像を表示させて、第３表示手段１５ｃにカメラの絞り、シャッタースピードなどのカメラの状態（ＯＳＤ情報）を表示させることができる。したがって、本発明のデジタルカメラは、見やすい位置に撮像画像を表示しながら、カメラの状態を容易・迅速に確認することもできる。
【００５２】
また、第１ＣＰＵ１９ａ及び第２ＣＰＵ１９ｂは、第３モードとして、前記第１表示手段１５ａ及び第３表示手段１５ｃの一方に、動画を表示させ、他方に、静止画を表示させることができる。このようにすると、例えば第１表示手段１５ａには撮像手段が取り込んだ動画像を表示させ、第３表示手段１５ｃには取り込まれた動画像におけるあるタイミングの静止画を表示させることができる。したがって、本デジタルカメラは、静止画によって被写体の撮影状態を細部まで詳細に確認することができ、動画像によって被写体の動き又はカメラの撮影方向の動きなどを確認することができる。
【００５３】
また、第１ＣＰＵ１９ａ及び第２ＣＰＵ１９ｂは、第３モードとして、第１表示手段１５ａ及び第３表示手段１５ｃの一方に、撮像手段が撮像した動画像（生画像）を該撮像の直後に動画像として表示させ、他方に、本デジタルカメラの記録手段に記録されている画像を再生して表示させることができる。このようにすると、例えば第１表示手段１５ａに動画像を表示させることで現在の撮影状態を確認でき、同時に、第３表示手段１５ｃに過去の画像（静止画又は動画像）を表示させることで過去の撮影状態を確認することができる。したがって、本デジタルカメラは、過去の撮影状態を確認しながら、同時に現在の撮影状態を確認することもできる。
【００５４】
（起動時の表示態様）
次に、本実施形態のデジタルカメラにおける起動時の表示態様について図１から図３を参照して説明する。
カメラ起動時において、第１ＣＰＵ１９ａ及び第２ＣＰＵ１９ｂは、第１表示手段１５ａと第３表示手段１５ｃとに、異なる内容を表示させることができる。
例えば、第１表示手段１５ａに撮像手段が取り込んだ画像を表示させ、第３表示手段１５ｃにＯＳＤ情報などを表示させる。この表示は第１表示手段１５ａと第３表示手段１５ｃとで逆でもよい。
【００５５】
また、カメラ起動時において、第１ＣＰＵ１９ａ及び第２ＣＰＵ１９ｂは、第１表示手段１５ａと第３表示手段１５ｃとに、同じ内容を表示させることもできる。これら起動時における各種の表示態様は、十字キー２１ａの操作などにより、予め設定することができる。また、本デジタルカメラは、起動時を所定時間経過後は、上記第１〜第３モードで表示することもできる。
【００５６】
これらにより、本デジタルカメラは、起動直後に、複数の表示手段を用いて各種の表示態様で各種情報を表示できるので、各種状態のシャッターチャンスに良好に対応することができる。
【００５７】
（画面形状及び画像サイズ）
図４は、本実施形態のデジタルカメラにおける各表示手段の画面形状の一例を示す平面図である。図４において、図１から図３の構成要素と同一のものには同一符号を付けている。
【００５８】
図４（ａ）は、第１表示手段１５ａの画面形状を示している。第１表示手段１５ａの画面は、アスペクト比が４：３の通常画面になっている。そして、第１表示手段１５ａの画面では、横方向に画素が３２０個並び、縦方向に画素が２４０個並んでいる。
【００５９】
図４（ｂ）は、第３表示手段１５ｃの画面形状を示している。第３表示手段１５ｃの画面は、アスペクト比が１６：９のワイド画面になっている。そして、第３表示手段１５ｃの画面では、横方向に画素が４２６個並び、縦方向に画素が２４０個並んでいる。
【００６０】
また、第３表示手段１５ｃの画面は、表示領域として縦方向に、中央領域ｃ１、左領域ｃ２及び右領域ｃ３に分けることができる。中央領域ｃ１は、画面の中央付近に配置されており、横方向に画素が３２０個並び、縦方向に画素が２４０個並んでいる。左領域ｃ２は、画面の左側に配置されており、横方向に画素が５３個並び、縦方向に画素が２４０個並んでいる。右領域ｃ３は、画面の右側に配置されており、横方向に画素が５３個並び、縦方向に画素が２４０個並んでいる。
【００６１】
さらに本デジタルカメラは、アスペクト比を４：３として撮像画像を表示させる通常モードと、アスペクト比を１６：９として撮像画像を表示させるワイドモードとを有する。この２つのモードは、十字キー２１ａの操作により選択可能となっている。そして、第１ＣＰＵ１９ａは、十字キー２１ａで通常モードが選択されたときは、第１表示手段１５ａに通常モードの画像を優先的に表示させ、ワイドモードが選択されたときは、第２表示手段１５ｃにワイドモードの画像を優先的に表示させる。
【００６２】
これらにより、本デジタルカメラによれば、通常モードの画像を表示させたいときはアスペクト比４：３の第１表示手段１５ａで通常モード画像の全体を表示させることができる。また、ワイドモードの画像を表示させたいときはアスペクト比１６：９の第３表示手段１５ｃでワイドモード画像の全体を表示させることができる。
【００６３】
また、第１ＣＰＵ１９ａは、十字キー２１ａで通常モードが選択されたときは、第２表示手段１５ｃの中央領域ｃ１に通常モードの画像を表示させ、左領域ｃ２及び右領域ｃ３にＯＳＤ情報を表示させることもできる。このようにすると、通常モードが選択されたとき、アスペクト比１６：９の第２表示手段１５ｃの中央領域ｃ１にアスペクト比４：３の画像全体をそのまま表示でき、左領域ｃ２及び右領域ｃ３に文字情報などを表示することができる。したがって、本デジタルカメラは、文字情報などで撮像画像の一部が隠れることを回避することができる。
【００６４】
（具体的構成例）
図５は、本実施形態のデジタルカメラの具体的構成例を示すブロック図である。図５において図１から図４の構成要素と同一のものには同一符号を付けている。
【００６５】
本施形態のデジタルカメラは、ズームレンズ１、アイリス（絞り）２、フォーカスレンズ３、撮像素子（ＣＣＤ）４、ズームモータ５、アイリスモータ６、フォーカスモータ７、タイミング発生器８及びＣＤＳ及びＡＧＣ回路９を有している。ここで、ズームレンズ１、アイリス２、フォーカスレンズ３及び撮像素子４は、被写体を撮像する撮像手段をなしている。
【００６６】
アイリスモータ６は、アイリス２の開度を変更する絞り可変部をなしている。タイミング発生器８は、シャッタースピードを変更するシャッタースピード可変部をなしている。ＣＤＳ(Corelated Double Sampling)及びＡＧＣ(Automatic Gain Control)回路９は、撮像手段の出力をなす撮像素子４の出力について、増幅度を可変するゲイン可変部をなしている。そして、アイリスモータ６とタイミング発生器８とＣＤＳ及びＡＧＣ回路９とは、撮像手段における露出状態を変更する露出変更手段を構成している。
【００６７】
ズームレンズ１の位置は、ズームモータ５により移動可能とされている。アイリス２の開度は、アイリスモータ６により制御可能とされている。フォーカスレンズ３の位置は、フォーカスモータ７により制御可能とされている。ズームレンズ１、アイリス２及びフォーカスレンズ３を介された被写体像光は、撮像素子４の受光面に結像される。
【００６８】
撮像素子４は、その受光面に結像された被写体像光を光電変換する。撮像素子４としては、ＣＣＤ(Charge Coupled Device)撮像素子、ＣＭＯＳ(Complementary MOS)撮像素子などが用いられる。撮像素子４の前面には、色フィルタが配列されている。色フィルタの配列の構成としては、Ｒ（赤）、Ｇ（緑）、Ｂ（青）の原色系フィルタを用いる場合と、Ｃｙ（シアン）、Ｍｇ（マゼンタ）、Ｙｅ（黄色）の補色系フィルタを用いる場合とがある。撮像素子４は、タイミング発生器８からのタイミング信号により駆動される。
【００６９】
また、本デジタルカメラは、Ａ／Ｄコンバータ１０、画像入力コントローラ１１、画像信号処理回路１２、画像圧縮／伸長回路１３、ビデオエンコーダ１４、第１表示手段１５ａ、第２表示手段１５ｂ、第３表示手段１５ｃ、モータドライバ１６，１７，１８、第１ＣＰＵ１９ａ、第２ＣＰＵ１９ｂ、操作部材２１、メモリ２２ａ，２２ｂ、ＶＲＡＭ２３、メディアコントローラ２４及び記録メディア２５を有している。操作部材２１としては図１に示す十字キー２１ａ、ズームスイッチ２１ｂ及びシャッタースイッチ２１ｃの他に電源スイッチ、モード切替ダイヤルなどが含まれる。
【００７０】
第１ＣＰＵ１９ａは、本デジタルカメラ全体を制御するものである。そして、第１ＣＰＵ１９ａは、操作部材２１などによる設定条件及び撮像素子４の出力に基づいて、自動露出制御（ＡＥ）及び自動合焦制御（ＡＦ）なども行う。
【００７１】
また、第１ＣＰＵ１９ａには、操作部材２１から入力信号が与えられる。そして、第１ＣＰＵ１９ａからは、ズームレンズ１を移動させるためのズーム駆動信号、フォーカスレンズ３を移動させるためのフォーカス駆動信号、アイリス２を開閉させるためのアイリス駆動信号、ＣＤＳ及びＡＧＣ回路９のゲインを制御するためのゲイン制御信号が出力される。
【００７２】
撮像素子４の出力信号は、ＣＤＳ及びＡＧＣ回路９を介して、Ａ／Ｄコンバータ１０に供給される。Ａ／Ｄコンバータ１０では画像信号がデジタル化される。Ａ／Ｄコンバータ１０の出力信号は、画像入力コントローラ１１を介してＣＰＵ１９ａに取り込まれて、一旦、メモリ２２ａに記憶される。
【００７３】
また、撮像素子４の出力信号は、ＣＤＳ及びＡＧＣ回路９を介して、Ａ／Ｄコンバータ１０でデジタル化された後に、画像信号処理回路１２に供給される。画像信号処理回路１２では、ガンマ補正、エッジ強調、ホワイトバランス等の画像処理が行われる。この画像信号は、ビデオエンコーダ１４に供給される。ビデオエンコーダ１４で、コンポーネントカラービデオ信号が形成され、このカラービデオ信号がＶＲＡＭ（Video RAM）２３に展開される。このカラービデオ信号がＬＣＤ(Liquid Crystal Display)等の第１表示手段１５ａ、第２表示手段１５ｂ及び第３表示手段１５ｃのそれぞれ又はいずれかに供給され、撮影中のモニタ画像などが映出される。
【００７４】
また、第１ＣＰＵ１９ａは、画像信号処理回路１２などを制御して、絞り、シャッタースピードなどのＯＳＤ情報を撮像画像に重ねて、第１表示手段１５ａ及び第２表示手段１５ｂに表示させることができる。第２ＣＰＵ１９ａは、ＯＳＤ情報について、第１表示手段１５ａ及び第２表示手段１５ｂでの表示形態とは異なる状態として、撮像画像とともに第３表示手段１５ｃに表示させることができる。
【００７５】
また、メモリ２２ａに取り込まれた１画面分の画像信号は、画像信号処理回路１２で画像処理が施された後に、画像圧縮／伸長回路１３に供給される。画像圧縮／伸長回路１３は、画像データを圧縮符号化する。画像データの圧縮方式としては、例えば、ＪＰＥＧ(Joint Photographic Experts Group)が用いられる。ＪＰＥＧはＤＣＴ(Discrete Cosine Transform)を用いて画像圧縮するための規格である。なお、画像データの圧縮方式は、ＪＰＥＧに限定されるものではない。
【００７６】
圧縮符号化された画像信号は、メディアコントローラ２４を介して、記録メディア２５に供給され、記録メディア２５に記録される。記録メディア２５は、例えばフラッシュメモリを使ったカード型の着脱自在のメモリが用いられる。なお、記録メディア２５としては、デジタルカメラ内蔵の不揮発メモリ、磁気テープ、磁気ディスク、光ディスクなどを適用してもよい。
【００７７】
再生時には、記録メディア２５の画像ファイルが開かれ、画像データが読み出される。記録メディア２５から読み出された画像データは、画像圧縮／伸長回路１３に供給される。画像圧縮／伸長回路１３により、画像信号の伸長処理が行われる。画像圧縮／伸長回路１３の出力がビデオエンコーダ１４に供給される。ビデオエンコーダ１４の出力信号が第１表示手段１５ａ、第２表示手段１５ｂ及び第３表示手段１５ｃのいずれか又は全てに供給され、再生画像が映出される。
【００７８】
（第２実施形態）
図６は、本発明の第２実施形態に係るデジタルカメラの模式断面図である。図６において、図１から図５の構成要素と同一のものには同一符号を付けている。本実施形態のデジタルカメラにおいて、第１実施形態のデジタルカメラとの相違点は、第１表示手段１５ａの視野角と第３表示手段１５ｃの視野角である。その他は、図１から図５に示すデジタルカメラと同一とすることができる。
【００７９】
第１表示手段１５ａの表示画面は、カメラ本体１００の背面に配置されており、ズームレンズ１及びフォーカスレンズ３の光軸Ｌに対してほぼ垂直に配置されている。第２表示手段１５ｃの表示画面は、カメラ本体１００の上面に配置されており、光軸Ｌに対してほぼ平行に配置されている。
【００８０】
そして、第１表示手段１５ａの表示画面の視野角Ｂ１は、第３表示手段１５ｃの表示画面の面方向に近づく向きに、広く設定されている。すなわち、第１表示手段１５ａの表示画面の視野角Ｂ１は、図６に示すように、カメラ本体１００の底面方向よりもカメラ本体１００の上面方向に広く設定されている。これにより、第１表示手段１５ａの表示画面は、カメラ本体１００の背面に対向する側（後方）から良く見えるとともに、カメラ本体１００の後方斜め上からも視認できる。
【００８１】
第３表示手段１５ｃの表示画面の視野角Ｂ２は、第１表示手段１５ａの表示画面の面方向に近づく向きに、広く設定されている。すなわち、第３表示手段１５ｃの表示画面の視野角Ｂ２は、図６に示すように、カメラ本体１００の正面方向よりもカメラ本体１００の背面方向に広く設定されている。これにより、第３表示手段１５ｃの表示画面は、カメラ本体１００の上方から良く見えるとともに、カメラ本体１００の上方斜め後からも視認できる。
【００８２】
これらにより、本実施形態のデジタルカメラによれば、撮影者がカメラ本体１００を顔の前方に位置するように持つことにより、第１表示手段１５ａを良好に見て撮影できるとともに、その状態のまま又はカメラ本体１００を僅かに下げることなどで第３表示手段１５ｃも視認することができる。また、撮影者は、カメラ本体１００をウエストレベルで持つことにより、第３表示手段１５ｃを良好に見て撮影できるとともに、その状態のまま又はカメラ本体１００を僅かに上げることなどで第１表示手段１５ａも視認することができる。したがって、本デジタルカメラは、カメラ本体１００の背面及び上面にそれぞれ配置された複数の表示手段を、撮影者が良好に視認することを可能にする。
【００８３】
以上、本発明の実施の形態について説明したが、本発明のカメラ及び画像表示方法は、上述の図示例にのみ限定されるものではなく、本発明の要旨を逸脱しない範囲内において種々変更を加え得ることは勿論である。
【００８４】
例えば、上記実施形態では、カメラの一例としてデジタルスチルカメラを上げて説明したが、本発明はこれに限定されるものではなく、ビデオカメラ、銀塩カメラなどに適用できる発明もある。
【産業上の利用可能性】
【００８５】
本発明は、各種のカメラに有用である。特に、本発明は、デジタルカメラ及びデジタルビデオカメラに好適である。
【図面の簡単な説明】
【００８６】
【図１】本発明の第１実施形態に係るデジタルカメラを示す斜視図である。
【図２】同上のデジタルカメラの模式断面図である。
【図３】同上のデジタルカメラの表示制御構成及び表示態様を示す説明図である。
【図４】同上のデジタルカメラにおける各表示手段の画面例を示す平面図である。
【図５】同上のデジタルカメラの具体的構成例を示すブロック図である。
【図６】本発明の第２実施形態に係るデジタルカメラを示す模式断面図である。
【符号の説明】
【００８７】
１…ズームレンズ、２…アイリス（絞り）、３…フォーカスレンズ、４…撮像素子、５…ズームモータ、６…アイリスモータ、７…フォーカスモータ、８…タイミング発生器、９…ＣＤＳ及びＡＧＣ回路、１０…Ａ／Ｄコンバータ、１１…画像入力コントローラ、１２…画像信号処理回路、１３…画像圧縮／伸長回路、１４…ビデオエンコーダ、１５ａ…第１表示手段、１５ｂ…第２表示手段、１５ｃ…第３表示手段、１６，１７，１８…モータドライバ、１９ａ…第１ＣＰＵ、１９ｂ…第２ＣＰＵ、２１…操作部材、２２ａ，２２ｂ…メモリ、２３…ＶＲＡＭ、２４…メディアコントローラ、２５…記録メディア、Ｂ１，Ｂ２…視野角、ｃ１…中央領域、ｃ２…左領域、ｃ３…右領域、ｃ１０…右側領域、ｃ２０…左側領域、Ｌ…光軸
【図１】
2006166133.tif 000003
【図２】
2006166133.tif 000004
【図３】
2006166133.tif 000005
【図４】
2006166133.tif 000006
【図５】
2006166133.tif 000007
【図６】
2006166133.tif 000008